(57)【要約】  【課題】  ピックアップの移動、ディスクトレイの移動、及びディスクトレイとターンテーブルの相対高さ変更を、単一のモータと簡素な機構で実現することができ、動作信頼性も高いディスクプレーヤを提供する。  【解決手段】  ピックアップ移動モータ４０がピックアップ３０を一方の移動限界に向かって移動させる過程で、中継ギヤ５０が後段ギヤ列４５を前段ギヤ列４１に連結する。ピックアップ３０が移動限界に達した後も第１スライダ３２は前進を続け、ロック部材７０を姿勢変換させる。これにより第２スライダ６０のスライド、ターンテーブル３１からディスクトレイ８０へのディスクの移し替え、ディスクトレイ８０のディスク取り出し位置への移動といった動作が連鎖的に発生する。【選択図】      図６
2006012304.tif 000002
【特許請求の範囲】
【請求項１】
上下動可能なデッキに支持されたターンテーブルと、
前記ターンテーブルに搭載されたディスクの半径方向に移動し、回転するディスクに対
しデータ読み出し又はデータ書き込みを行うピックアップと、
前記ターンテーブルにディスクを搭載するディスク搭載位置と、ディスクの出し入れを
行うディスク取り出し位置との間を移動するディスクトレイと、
前記ピックアップに相対移動可能に装着された第１スライダと、
前記ピックアップに設けられた第１ラックと、
前記第１スライダに設けられた第２ラックと、
前記第１ラック及び第２ラックに前段ギヤ列を介して動力を伝えるピックアップ移動モ
ータと、
前記前段ギヤ列とこれに続く後段ギヤ列の間にあって、通常は前段ギヤ列と後段ギヤ列
を連結しない連結解除位置にあり、前記ピックアップが前記一方の移動限界に達するのに
対応して、前段ギヤ列に後段ギヤ列を連結する連結位置に移動する中継ギヤと、
前記中継ギヤを支持するスイングアームと、
前記スイングアームを、前記中継ギヤが前記連結解除位置に位置するよう付勢するとと
もに、前記ピックアップが一方の移動限界に向かって移動する過程でその移動経路中に突
出する一端が押されることにより、前記中継ギヤが前記連結位置に移動するようスイング
アームを変位させるねじりコイルばねと、
前記後段ギヤ列にかみ合う第３ラックを有し、前記ピックアップ及びディスクトレイの
スライド方向と直交する方向にスライドする第２スライダと、
前記第２スライダと前記デッキとの間に設けられた第１カム機構と、
前記第２スライダと前記ディスクトレイとの間に設けられた第２カム機構と、
前記ディスクトレイに設けられた第４ラックと、
前記第１スライダを受け止める第１アームと、前記第２スライダに係合する第２アーム
とを備え、第１スライダにより姿勢変換せしめられることにより第１スライダを拘束し且
つ第２スライダを変位させるとともに、変位した第２スライダと第２アームとの係合によ
りその姿勢変換状態が維持されるロック部材と、
前記ピックアップと第１スライダとの間に設けられ、第１スライダを前記ロック部材の
存在する方向と逆の方向に付勢するばねとを備え、
前記ディスクトレイがディスク搭載位置にあるときに前記ピックアップを一方の移動限
界まで移動させ、前記中継ギヤを介して前記後段ギヤ列を前記前段ギヤ列に連結した後、
前記ピックアップ移動モータをさらに駆動することにより、前記第１スライダがピックア
ップに対し相対移動して前記ロック部材を姿勢変換させ、この姿勢変換がもたらした前記
第２スライダの変位により第２スライダが前記後段ギヤ列に連結し、前段ギヤ列から動力
を得た後段ギヤ列が第２スライダをスライドさせることにより前記第１カム機構が前記デ
ッキを押し下げてディスク支持の役割を前記ターンテーブルから前記ディスクトレイに移
し、また前記第２カム機構が前記ディスクトレイを前方に変位させて後段ギヤ列に前記第
４ラックを連結させ、もって前記ディスクトレイのディスク取り出し位置への移動が開始
されることを特徴とするディスクプレーヤ。
【請求項２】
上下動可能なデッキに支持されたターンテーブルと、
前記ターンテーブルに搭載されたディスクの半径方向に移動し、回転するディスクに対
しデータ読み出し又はデータ書き込みを行うピックアップと、
前記ターンテーブルにディスクを搭載するディスク搭載位置と、ディスクの出し入れを
行うディスク取り出し位置との間を移動するディスクトレイと、
前段ギヤ列を介して前記ピックアップを移動させるピックアップ移動モータと、
前記ピックアップに相対移動可能に装着され、ピックアップが一方の移動限界に達した
後も、前記前段ギヤ列を通じて伝えられる動力により前進を続ける第１スライダと、
前記前段ギヤ列とこれに続く後段ギヤ列の間にあって、通常は前段ギヤ列と後段ギヤ列
を連結しない連結解除位置にあり、前記ピックアップが前記一方の移動限界に達するのに
応答して、前段ギヤ列に後段ギヤ列を連結する連結位置に移動する中継ギヤと、
前記後段ギヤ列により、前記ピックアップ及びディスクトレイのスライド方向と直交す
る方向にスライドせしめられるとともに、前記デッキとの間に第１カム機構、前記ディス
クトレイとの間に第２カム機構を形成した第２スライダと、
前記第１スライダと第２スライダの間に介在し、前進してきた第１スライダによって姿
勢変換せしめられ、第２スライダを変位させる運動中継手段と、
前記後段ギヤ列からの動力を前記ディスクトレイに伝える運動伝達機構とを備え、
前記ディスクトレイがディスク搭載位置にあるときに前記ピックアップを一方の移動限
界まで移動させ、前記中継ギヤを介して前記後段ギヤ列を前記前段ギヤ列に連結した後、
前記ピックアップ移動モータをさらに駆動することにより、前記第１スライダがピックア
ップに対し相対移動して前記運動中継手段を姿勢変換させ、この姿勢変換がもたらした前
記第２スライダの変位により第２スライダが前記後段ギヤ列に連結し、前段ギヤ列から動
力を得た後段ギヤ列が第２スライダをスライドさせることにより前記第１カム機構が前記
デッキを押し下げてディスク支持の役割を前記ターンテーブルから前記ディスクトレイに
移し、また前記第２カム機構が前記ディスクトレイを前方に変位させて後段ギヤ列とディ
スクトレイとの間の前記運動伝達機構を介する連結を成立させ、もってディスクトレイの
ディスク取り出し位置への移動が開始されることを特徴とするディスクプレーヤ。
【請求項３】
前記ピックアップには前記前段ギヤ列にかみ合う第１ラックが設けられ、前記第１スラ
イダには同じく前段ギヤ列にかみ合う第２ラックが設けられ、前記第２スライダには前記
後段ギヤ列にかみ合う第３ラックが設けられ、前記ディスクトレイには同じく後段ギヤ列
にかみ合う第４ラックが設けられることを特徴とする請求項２に記載のディスクプレーヤ
。
【請求項４】
前記ピックアップと第１スライダとの間には、第１スライダを前記運動中継手段の存在
する方向と逆の方向に付勢するばねが設けられていることを特徴とする請求項２に記載の
ディスクプレーヤ。
【請求項５】
前記運動中継手段は、前記第１スライダを受け止める第１アームと、前記第２スライダ
に係合する第２アームとを備え、第１スライダにより姿勢変換せしめられることにより第
１スライダを拘束し且つ第２スライダを変位させるとともに、変位した第２スライダと第
２アームとの係合によりその姿勢変換状態が維持されることを特徴とする請求項２に記載
のディスクプレーヤ。
【請求項６】
前記中継ギヤはスイングアームの先端に支持され、このスイングアームはねじりコイル
ばねにより中継ギヤを前記連結解除位置に置くよう付勢されるものであり、前記ピックア
ップが一方の移動限界に向かって移動する過程でその移動経路中に突出する前記ねじりコ
イルばねの一端が押されることにより、スイングアームが回動して中継ギヤが前記連結位
置に移動することを特徴とする請求項２に記載のディスクプレーヤ。
【発明の詳細な説明】
【技術分野】
【０００１】
本発明はディスクからのデータ読み出しやディスクへのデータ書き込みを行うディスク
プレーヤに関する。
【背景技術】
【０００２】
ディスクプレーヤは３種類の動力を必要とする。その１はディスクの回転用であり、そ
の２はデータ読み出しやデータ書き込みを行うピックアップの移動用であり、その３はデ
ィスクの出し入れを行うディスクトレイの移動用である。これらの動力をまかなうのに、
動力毎に１個ずつ、計３個のモータを使用するのではコストが高くつく。そこで、ディス
ク回転用モータの動力を利用してディスクトレイを移動させたり、ピックアップ移動用モ
ータの動力を利用してディスクトレイを移動させるといった、モータの兼用化がしばしば
試みられる。特許文献１、２には、ピックアップ移動用モータによりディスクトレイの移
動も行うようにしたディスクプレーヤの例が記載されている。
【特許文献１】実開平１−６４１２９号公報（全文、図１、２）
【特許文献２】特開平１１−３９７６４号公報（第４−８頁、図１−１６）
【発明の開示】
【発明が解決しようとする課題】
【０００３】
ディスクプレーヤにおいて、外部から取り込んだディスクはディスクトレイからターン
テーブルに移し替える。また用済みのディスクを取り出すときは、ターンテーブルとチャ
ックによりクランプされていたディスクをディスクトレイに移し替える。このため、ディ
スクトレイとターンテーブルは、少なくとも一方の高さを変えられるようにして、互いの
高さレベルを変える必要がある。特許文献２に記載されたディスクプレーヤは、ピックア
ップの移動とディスクトレイの移動に加え、ディスクトレイとターンテーブルの相対高さ
変更の動きまでを単一のモータで実現している。しかしながらそのために用いられる連係
機構の構造はきわめて複雑であり、部品コストや組立工数の面で有利とは言い難い。
【０００４】
本発明は上記の点に鑑みなされたものであり、ピックアップの移動、ディスクトレイの
移動、及びディスクトレイとターンテーブルの相対高さ変更を、単一のモータと簡素な機
構で実現することができ、動作信頼性も高いディスクプレーヤを提供することを目的とす
る。
【課題を解決するための手段】
【０００５】
上記目的を達成するために、請求項１の発明は、上下動可能なデッキに支持されたター
ンテーブルと、前記ターンテーブルに搭載されたディスクの半径方向に移動し、回転する
ディスクに対しデータ読み出し又はデータ書き込みを行うピックアップと、前記ターンテ
ーブルにディスクを搭載するディスク搭載位置と、ディスクの出し入れを行うディスク取
り出し位置との間を移動するディスクトレイと、前記ピックアップに相対移動可能に装着
された第１スライダと、前記ピックアップに設けられた第１ラックと、前記第１スライダ
に設けられた第２ラックと、前記第１ラック及び第２ラックに前段ギヤ列を介して動力を
伝えるピックアップ移動モータと、前記前段ギヤ列とこれに続く後段ギヤ列の間にあって
、通常は前段ギヤ列と後段ギヤ列を連結しない連結解除位置にあり、前記ピックアップが
前記一方の移動限界に達するのに対応して、前段ギヤ列に後段ギヤ列を連結する連結位置
に移動する中継ギヤと、前記中継ギヤを支持するスイングアームと、前記スイングアーム
を、前記中継ギヤが前記連結解除位置に位置するよう付勢するとともに、前記ピックアッ
プが一方の移動限界に向かって移動する過程でその移動経路中に突出する一端が押される
ことにより、前記中継ギヤが前記連結位置に移動するようスイングアームを変位させるね
じりコイルばねと、前記後段ギヤ列にかみ合う第３ラックを有し、前記ピックアップ及び
ディスクトレイのスライド方向と直交する方向にスライドする第２スライダと、前記第２
スライダと前記デッキとの間に設けられた第１カム機構と、前記第２スライダと前記ディ
スクトレイとの間に設けられた第２カム機構と、前記ディスクトレイに設けられた第４ラ
ックと、前記第１スライダを受け止める第１アームと、前記第２スライダに係合する第２
アームとを備え、第１スライダにより姿勢変換せしめられることにより第１スライダを拘
束し且つ第２スライダを変位させるとともに、変位した第２スライダと第２アームとの係
合によりその姿勢変換状態が維持されるロック部材と、前記ピックアップと第１スライダ
との間に設けられ、第１スライダを前記ロック部材の存在する方向と逆の方向に付勢する
ばねとを備え、前記ディスクトレイがディスク搭載位置にあるときに前記ピックアップを
一方の移動限界まで移動させ、前記中継ギヤを介して前記後段ギヤ列を前記前段ギヤ列に
連結した後、前記ピックアップ移動モータをさらに駆動することにより、前記第１スライ
ダがピックアップに対し相対移動して前記ロック部材を姿勢変換させ、この姿勢変換がも
たらした前記第２スライダの変位により第２スライダが前記後段ギヤ列に連結し、前段ギ
ヤ列から動力を得た後段ギヤ列が第２スライダをスライドさせることにより前記第１カム
機構が前記デッキを押し下げてディスク支持の役割を前記ターンテーブルから前記ディス
クトレイに移し、また前記第２カム機構が前記ディスクトレイを前方に変位させて後段ギ
ヤ列に前記第４ラックを連結させ、もって前記ディスクトレイのディスク取り出し位置へ
の移動が開始されるようにしたディスクプレーヤを提供する。
【０００６】
この構成によれば、ピックアップの動きが中継ギヤを介しての前段ギヤ列と後段ギヤ列
との連結及びロック部材による第２スライダの変位をもたらし、この第２スライダの変位
が第２スライダと後段ギヤ列との連結をもたらし、後段ギヤ列と第２スライダとの連結が
第２スライダのさらなるスライドをもたらし、第２スライダのスライドは第１カム機構を
介してターンテーブルを支持するデッキの下降をもたらし、同じく第２スライダのスライ
ドは第２カム機構を介してディスクトレイと後段ギヤ列との連結をもたらし、このディス
クトレイと後段ギヤ列との連結によりディスクトレイのディスクトレイへの移動が開始さ
れるといった具合に、動作が次々に連鎖して一連の動作が遂行される。しかもその動作は
、前段ギヤ列と後段ギヤ列を連結する中継ギヤと、第１スライダの動きにより第２スライ
ダを変位させるロック部材という、二つの部品を要とする比較的簡素な機構により実現さ
れる。
【０００７】
また、ピックアップと前段ギヤ列との連結、第１スライダと前段ギヤ列との連結、第２
スライダと後段ギヤ列との連結、及びディスクトレイと後段ギヤ列との連結にいずれもラ
ックを用いており、ラック・ピニオンという簡明な運動伝達機構を利用して動作の信頼性
を高めることができる。
【０００８】
また、ピックアップと第１スライダとの間には、第１スライダをロック部材の存在する
方向と逆の方向に付勢するばねを設けたから、ばねのたわみにより、ピックアップが移動
限界に留まる傍らで第１スライダをピックアップに対し相対移動させることができる。
【０００９】
またロック部材は、第１スライダを受け止める第１アームと、第２スライダに係合する
第２アームとを備え、第１スライダにより姿勢変換せしめられることにより第１スライダ
を拘束し且つ第２スライダを変位させるとともに、変位した第２スライダと第２アームと
の係合によりその姿勢変換状態が維持されるものであるから、ロック部材を姿勢変換させ
た第１スライダは姿勢変換したロック部材によりそのまま拘束され続け、ディスクプレー
ヤの動作が逆転したときに所定タイミングで釈放されることになる。
【００１０】
また、中継ギヤはスイングアームの先端に支持され、このスイングアームはねじりコイ
ルばねにより中継ギヤを前記連結解除位置に置くよう付勢されるものであり、ピックアッ
プが一方の移動限界に向かって移動する過程でその移動経路中に突出するねじりコイルば
ねの一端が押されることにより、スイングアームが回動して中継ギヤが前記連結位置に移
動するものであり、通常は中継ギヤを連結解除位置に置くねじりコイルばねそのものをも
って中継ギヤを連結位置に移動させるから、部品点数の節減を図ることができる。
【００１１】
請求項２の発明は、上下動可能なデッキに支持されたターンテーブルと、前記ターンテ
ーブルに搭載されたディスクの半径方向に移動し、回転するディスクに対しデータ読み出
し又はデータ書き込みを行うピックアップと、前記ターンテーブルにディスクを搭載する
ディスク搭載位置と、ディスクの出し入れを行うディスク取り出し位置との間を移動する
ディスクトレイと、前段ギヤ列を介して前記ピックアップを移動させるピックアップ移動
モータと、前記ピックアップに相対移動可能に装着され、ピックアップが一方の移動限界
に達した後も、前記前段ギヤ列を通じて伝えられる動力により前進を続ける第１スライダ
と、前記前段ギヤ列とこれに続く後段ギヤ列の間にあって、通常は前段ギヤ列と後段ギヤ
列を連結しない連結解除位置にあり、前記ピックアップが前記一方の移動限界に達するの
に応答して、前段ギヤ列に後段ギヤ列を連結する連結位置に移動する中継ギヤと、前記後
段ギヤ列により、前記ピックアップ及びディスクトレイのスライド方向と直交する方向に
スライドせしめられるとともに、前記デッキとの間に第１カム機構、前記ディスクトレイ
との間に第２カム機構を形成した第２スライダと、前記第１スライダと第２スライダの間
に介在し、前進してきた第１スライダによって姿勢変換せしめられ、第２スライダを変位
させる運動中継手段と、前記後段ギヤ列からの動力を前記ディスクトレイに伝える運動伝
達機構とを備え、前記ディスクトレイがディスク搭載位置にあるときに前記ピックアップ
を一方の移動限界まで移動させ、前記中継ギヤを介して前記後段ギヤ列を前記前段ギヤ列
に連結した後、前記ピックアップ移動モータをさらに駆動することにより、前記第１スラ
イダがピックアップに対し相対移動して前記運動中継手段を姿勢変換させ、この姿勢変換
がもたらした前記第２スライダの変位により第２スライダが前記後段ギヤ列に連結し、前
段ギヤ列から動力を得た後段ギヤ列が第２スライダをスライドさせることにより前記第１
カム機構が前記デッキを押し下げてディスク支持の役割を前記ターンテーブルから前記デ
ィスクトレイに移し、また前記第２カム機構が前記ディスクトレイを前方に変位させて後
段ギヤ列とディスクトレイとの間の前記運動伝達機構を介する連結を成立させ、もってデ
ィスクトレイのディスク取り出し位置への移動が開始されるようにしたディスクプレーヤ
を提供する。
【００１２】
この構成によれば、ピックアップの動きが前段ギヤ列と後段ギヤ列との連結及び運動中
継手段による第２スライダの変位をもたらし、この第２スライダの変位が第２スライダと
後段ギヤ列との連結をもたらし、後段ギヤ列と第２スライダとの連結が第２スライダのさ
らなるスライドをもたらし、第２スライダのスライドは第１カム機構を介してターンテー
ブルを支持するデッキの下降をもたらし、同じく第２スライダのスライドは第２カム機構
を介してディスクトレイと後段ギヤ列との連結をもたらし、このディスクトレイと後段ギ
ヤ列との連結によりディスクトレイのディスクトレイへの移動が開始されるといった具合
に、動作が次々に連鎖して一連の動作が遂行される。しかもその動作は、前段ギヤ列と後
段ギヤ列を連結する中継ギヤと、第１スライダの動きにより第２スライダを変位させる運
動中継手段という、二つの部品を要とする比較的簡素な機構により実現される。
【００１３】
請求項３の発明では、請求項２のディスクプレーヤにおいて、前記ピックアップには前
記前段ギヤ列にかみ合う第１ラックが設けられ、前記第１スライダには同じく前段ギヤ列
にかみ合う第２ラックが設けられ、前記第２スライダには前記後段ギヤ列にかみ合う第３
ラックが設けられ、前記ディスクトレイには同じく後段ギヤ列にかみ合う第４ラックが設
けられるものとする。
【００１４】
この構成によれば、ラック・ピニオンという簡明な運動伝達機構を利用して動作の信頼
性を高めることができる。
【００１５】
請求項４の発明では、請求項２のディスクプレーヤにおいて、前記ピックアップと第１
スライダとの間には、第１スライダを前記運動中継手段の存在する方向と逆の方向に付勢
するばねが設けられている。
【００１６】
この構成によれば、ばねのたわみにより、ピックアップが移動限界に留まる傍らで第１
スライダをピックアップに対し相対移動させることができる。
【００１７】
請求項５の発明では、請求項２のディスクプレーヤにおいて、前記運動中継手段は、前
記第１スライダを受け止める第１アームと、前記第２スライダに係合する第２アームとを
備え、第１スライダにより姿勢変換せしめられることにより第１スライダを拘束し且つ第
２スライダを変位させるとともに、変位した第２スライダと第２アームとの係合によりそ
の姿勢変換状態が維持される。
【００１８】
この構成によれば、運動中継手段を姿勢変換させた第１スライダは姿勢変換した運動中
継手段によりそのまま拘束され続け、ディスクプレーヤの動作が逆転したときに所定タイ
ミングで釈放されることになる。
【００１９】
請求項６の発明では、請求項２のディスクプレーヤにおいて、前記中継ギヤはスイング
アームの先端に支持され、このスイングアームはねじりコイルばねにより中継ギヤを前記
連結解除位置に置くよう付勢されるものであり、前記ピックアップが一方の移動限界に向
かって移動する過程でその移動経路中に突出する前記ねじりコイルばねの一端が押される
ことにより、スイングアームが回動して中継ギヤが前記連結位置に移動する。
【００２０】
この構成によれば、通常は中継ギヤを連結解除位置に置くねじりコイルばねそのものを
もって中継ギヤを連結位置に移動させるから、部品点数の節減を図ることができる。
【発明の効果】
【００２１】
以上のように本発明によれば、ピックアップの動きが前段ギヤ列と後段ギヤ列との連結
及び運動中継手段による第２スライダの変位をもたらし、この第２スライダの変位が第２
スライダと後段ギヤ列との連結をもたらし、後段ギヤ列と第２スライダとの連結が第２ス
ライダのさらなるスライドをもたらし、第２スライダのスライドは第１カム機構を介して
ターンテーブルを支持するデッキの下降をもたらし、同じく第２スライダのスライドは第
２カム機構を介してディスクトレイと後段ギヤ列との連結をもたらし、このディスクトレ
イと後段ギヤ列との連結によりディスクトレイのディスクトレイへの移動が開始されると
いった具合に、動作が次々に連鎖して一連の動作が遂行される。しかもその動作は、前段
ギヤ列と後段ギヤ列を連結する中継ギヤと、第１スライダの動きにより第２スライダを変
位させる運動中継手段という、二つの部品を要とする比較的簡素な機構により実現される
ものであり、電気的な制御要素が不要で、制御のタイミングをとる必要もない。また機構
が簡素なだけ動作信頼性が高く、部品コストや組立工数の低減というメリットも享受でき
る。
【００２２】
本発明の機構は、ギヤ、ラック・ピニオン、カム機構、ばねといった単純な構成要素を
主体として組み立てられ、堅牢である。また第２スライダに２種類のカム機構を設けたり
、中継ギヤを連結解除位置に付勢するねじりコイルばねを中継ギヤを連結位置に移動させ
るのにも用いるなど、構成部品を複数の用途に用いることにより、部品点数の節減を図る
ことができた。
【発明を実施するための最良の形態】
【００２３】
以下、添付図面を参照しつつ、本発明の実施形態を説明する。図１はディスクプレーヤ
の全体構成を示す斜視図である。ディスクプレーヤ１は、平面形状四辺形の合成樹脂製フ
レーム１０と、フレーム１０の中に支持される板金製デッキ２０を組立の基盤として構成
される。図１において手前側がディスクプレーヤ１の正面にあたり、向こう側がディスク
プレーヤ１の背面にあたる。ディスクプレーヤ１は電子機器の筐体に組み込まれるもので
あり、フレーム１０の側面には筐体内部にねじ止め固定するための脚部１１が左右それぞ
れ２個ずつ形成されている。
【００２４】
デッキ２０はフレーム１０に対し、背面側を回動支点とし、正面側を回動端とする形で
上下動できるように取り付けられており、ターンテーブル及びこれを回転させるスピンド
ルモータと、ピックアップ及びこれを移動させるモータを支持する。他方フレーム１０は
、ディスクトレイと、デッキ２０を上下動させるスライダを支持する。続いて図２−５の
斜視図に加え、図６−１１の動作説明図と、図１２の部分拡大平面図も参照しつつ、機構
の詳細について説明する。なお図６−１１においては、上下に重なった部品の中で下側に
なった部品を示すため、上側の部品については破線でその存在のみ示すといった処理が適
宜施されている。
【００２５】
図２にはフレーム１０を取り去ってデッキ２０とこれを上下動させるスライダだけにし
たものを向かって右上方から見た状態が示されている。図３は図２の構成要素を向かって
右下方から見た状態が示されている。図４には図３からさらにスライダを取り去った状態
が示されている。図５には図４の構成要素を向かって左上方から見た状態が示されている
。
【００２６】
デッキ２０は平面形状四辺形であり、そのほぼ中央には平面形状四辺形の開口部２１が
形成されている。開口部２１の左右両側には互いに平行なガイドバー２２が固定されてい
る。このガイドバー２２に、図６に示すピックアップ３０がスライド自在に支持される。
なお「ピックアップ」とは、光学ピックアップ素子やこれを取り付けるベースなどからな
る組立品のことである。開口部２１の手前側には、ターンテーブル３１（図６参照）を回
転させるスピンドルモータの軸を通す軸穴２３が形成される。スピンドルモータはデッキ
２０の下面に取り付けられるものであるが、図示は省略する。
【００２７】
デッキ２０には、向かって右側の部分に、ピックアップ３０及び後述するディスクトレ
イを駆動するための動力要素が集中して配置されている。動力の根源となるのはデッキ２
０の下面に取り付けられたピックアップ移動モータ４０である。ピックアップ移動モータ
４０の軸はデッキ２０の上面に突出し、ここに第１ピニオン４２が固定されている。デッ
キ２０に支持された第１ギヤ４３がピニオン４２にかみ合う。第１ギヤ４３の下面には第
２ピニオン４４（図６参照）が固定ないし一体成形されている。第１ピニオン４２から第
２ピニオン４４までが前段ギヤ列４１を構成する。
【００２８】
前段ギヤ列４１は、ピックアップ３０及びこれに相対移動可能に支持された第１スライ
ダ３２（図６参照）に動力を伝える。ピックアップ３０にはその右側面部に張出部材３３
が固定されており、この張出部材３３の右側面に形成された第１ラック３４が第２ピニオ
ン４４にかみ合う。第１スライダ３２は張出部材３３の上面に相対的にスライド可能に取
り付けられており、この第１スライダ３２の右側面に形成された第２ラック３５が第２ピ
ニオン４４にかみ合う。第１ラック３４及び第２ラック３５の延びる方向、及び第１スラ
イダ３２の張出部材３３に対するスライド方向はピックアップ３０のスライド方向と平行
である。
【００２９】
第１スライダ３２及び張出部材３３にはそれぞれ第１スライダ３２のスライド方向に細
長く延びる窓が形成される。これらの窓は上下に重なり合うものであり、その中に圧縮コ
イルばね３６が挿入される。圧縮コイルばね３６は、その一端を第１スライダ３２の窓の
背面側の端に係合し、他端を張出部材３３の窓の正面側の端に係合して、第１スライダ３
２と張出部材３３とに互いに反対方向の力を与えている。言い換えれば、ピックアップ３
０を基準に考えた場合、第１スライダ３２はピックアップ３０の背面側に付勢されている
。さらに言い換えれば、第１スライダ３２は後述するロック部材の存在する方向と逆の方
向に付勢されている。
【００３０】
第１スライダ３２の正面側の端には、歯車の歯を前後に間隔を置いて２個並べた形のフ
ック部３７が形成されている。第１スライダ３２は圧縮コイルばね３６を伸縮させつつ張
出部材３３に対しスライドできるものであり、そのスライドが機構動作に深い意味を持つ
。これをわかりやすく説明するため、図６−１１の動作説明図には、左側に配置した一点
鎖線の枠囲みの中に第１スライダ３２と張出部材３３を左右に展開する形で示してある。
【００３１】
ピックアップ３０にはターンテーブル３１の側面に当たるストッパローラ３８が取り付
けられている。ストッパローラ３８がターンテーブル３１に当たることにより、ピックア
ップ３０の前進方向における移動限界が形成される。なおピックアップ３０の後退に関し
ては、ピックアップ移動モータ４０に付属するエンコーダでピックアップ移動モータ４０
の回転を監視し、所定の回転位置でピックアップ移動モータ４０を停止させることにより
移動限界が形成される。
【００３２】
前段ギヤ列４１には後段ギヤ列４５が組み合わせられる。後段ギヤ列４１は、デッキ２
０に支持された第２ギヤ４６と、フレーム１０に支持された第３ピニオン４７により構成
される。第２ギヤ４６と第３ピニオン４７とは、デッキ２０の傾きに関わらずかみ合いを
保つ必要があり、そのため両者ともに歯丈の高い、深いかみ合いが得られる歯車形状とな
っており、且つ第３ピニオン４７は垂直方向にも長い。なお第３ピニオン４７が垂直方向
に長いのは、後述するディスクトレイのラックをその上端部にかみ合わせるからでもある
。
【００３３】
後段ギヤ列４５と前段ギヤ列４１とは間隔が開いており、必要があるときのみ中継ギヤ
５０がこれらを連結する。中継ギヤ５０は第２ギヤ４６と同軸に支持されたスイングアー
ム５１の先端に支持される。中継ギヤ５０の上面には第４ピニオン５２が固定ないし一体
成形される。第４ピニオン５２は第２ギヤ４６にかみ合う。中継ギヤ５０は第４ピニオン
５２によって第２ギヤ４６との連結を維持しつつ、スイングアーム５１の旋回により第２
ギヤ４６の外周を周回する。すなわち第２ギヤ４６を太陽歯車に見立てれば、中継ギヤ５
０は遊星歯車という形になる。
【００３４】
スイングアーム５１は、その取付軸（第２ギヤ４６の取付軸でもある）まわりに装着さ
れたねじりコイルばね５３により、通常は図６に示す位置に付勢されている。この位置で
は、第４ピニオン５２こそ第２ギヤ４６にかみ合っているものの、中継ギヤ５０は第２ピ
ニオン４４から離れており、前段ギヤ列４１から動力を受け取る態勢にない。すなわち中
継ギヤ５０は前段ギヤ列４１と後段ギヤ列４５を連結しない連結解除位置にある。
【００３５】
ねじりコイルばね５３は左右両側に線材端を突出させている。右側の線材端はフレーム
１０に設けた係合部１２に係合する。左側の線材端は、スイングアーム５１に係合したう
えで、ピックアップ３０の移動経路中に突出する。実施形態の場合、左側の線材端は張出
部材３３の移動経路中に突出しており、張出部材３３が正面側に移動するとその前端で押
されることになる。左側の線材端は、スイングアーム５１を図６において時計方向に押す
だけでなく、反時計方向に押すこともできるような形でスイングアーム５１に係合してい
る。
【００３６】
フレーム１０の正面側の辺には第２スライダ６０が取り付けられる。第２スライダ６０
は図において左右方向、すなわちピックアップ３０のスライド方向と直交する方向に、高
さを変えないでスライドする。第２スライダ６０は上部が水平板部６０ａとなっており、
その下面に垂直板部６０ｂが形成されている。水平板部６０ａの右端には第３ラック６１
が形成されている。第３ラック６１は後段ギヤ列４５のピニオン４７にかみ合うが、常に
かみ合う訳ではない。どの時点でかみ合うかについては後で説明する。
【００３７】
垂直板部６０ｂには、左側が高く、右側が低くなるカム溝６３が２個、左右に並ぶ形で
形成されている。カム溝６３はデッキ２０の正面側の端から突出するカムフォロワ６４を
受け入れる。このカム溝６３とカムフォロワ６４の組み合わせが第１カム機構６２を構成
する。カム溝６３の右端は、カムフォロワ６４の先端に設けられた正方形の頭部を通すた
め、溝の寸法が拡大されている。なお第１カム機構６２の動作をわかりやすく説明するた
め、図６−１１の動作説明図において、下方に配置した一点鎖線の枠囲みの中に第１カム
機構６２の正面図を示してある。
【００３８】
水平板部６０ａの上面には、垂直軸まわりに回転するカムローラ６６が左右に並ぶ形で
装着されている。カムローラ６６はディスクトレイの下面に形成されたカム溝６７に係合
する。このカムローラ６６とカム溝６７の組み合わせが第２カム機構６５を構成する。
【００３９】
第１スライダ３２と第２スライダ６０の間には、第１スライダ３２の前後方向の動きを
第２スライダ６０の左右方向の動きに変換する運動中継手段が配置される。実施形態では
、フレーム１０に支持されたロック部材７０が運動中継手段を構成する。ロック部材７０
は垂直軸まわりに回動可能で、第１スライダ３２を受け止める第１アーム７１（図１２参
照）と、第２スライダ６０に係合する第２アーム７２を備える。第１アーム７１と第２ア
ーム７２は異なる方向に突出しており、ロック部材７０はベルクランクの作用をする。
【００４０】
第１アーム７１の先端には、第１スライダ３２のフック部３７と同様に、歯車の歯を前
後に間隔を置いて２個並べた形の係合部７１ａが形成されている。係合部７１ａはフック
部３７に係合し、フック部３７を拘束する。第２ギヤ４６と第３ピニオン４７の関係と同
様、フック部３７と係合部７１ａとはデッキ２０の傾きに関わらず係合を保つ必要がある
ので、係合部７１ａは垂直方向に所定の長さを有する形になっている。
【００４１】
第２アーム７２の先端には歯車の歯を１個だけ置いた形の係合部７２ａが形成されてい
る。この係合部７２ａは第２スライダ６０の垂直板部６０ｂの背面側に形成された水平突
条７３に係合する。水平突条７３の左端には凹部７４が形成されており、この凹部７４は
図６の状態において第２アーム７２の係合部７２ａを受け入れる。
【００４２】
なおロック部材７０は、その下端に扇状部７５を有する（図１２参照）。この扇状部７
５は、第３ピニオン４７の下面に係合してロック部材７０の浮き上がりを抑える役割を果
たす。
【００４３】
デッキ２０を覆うようにディスクトレイ８０が配置される（図６参照）。ディスクトレ
イ８０はフレーム１０に支持され、高さを変えないで前後方向にスライドする。ディスク
トレイ８０の下面には前述のカム溝６７の他、第３ピニオン４７にかみ合う第４ラック８
１が形成されている。第３ラック６１と同様、第４ラック８１も第３ピニオン４７に常に
かみ合う訳ではない。どの時点でかみ合うかについては後で説明する。
【００４４】
ディスクトレイ８０のほぼ中央には、ターンテーブル３１の通り抜けと、ピックアップ
３０によるディスク面の走査を可能にする開口部８２が形成される。なおディスクトレイ
８０の上方にはターンテーブル３１と協働してディスクをクランプするチャックが配置さ
れるが、これは図示しない。
【００４５】
続いてディスクプレーヤ１の動作につき説明する。ディスクトレイ８０は、図６に示す
ディスク搭載位置と、図１１に示すディスク取り出し位置との間を移動する。ディスク搭
載位置においては、ディスクトレイ８０が運んできたディスクをターンテーブル３１に搭
載し、また作業済みのディスクをターンテーブル３１からディスクトレイ８０に移し替え
る作業が行われる。ディスクプレーヤ１からディスクトレイ８０が突き出すディスク取り
出し位置では、ディスクをディスクトレイ８０から取り出したり、ディスクトレイ８０に
ディスクを載せたりする作業が行われる。ここでは、図６においてターンテーブル３１に
ディスクが搭載されているという想定のもと、説明を開始する。
【００４６】
図６の状態では、中継ギヤ５０は第２ピニオン４４から離れ、後段ギヤ列４５は前段ギ
ヤ列４１に連結していない。第２スライダ６０はスライドストロークの右端位置にあり、
第３ラック６１は第３ピニオン４７から離れている。
【００４７】
図６において、ピックアップ移動モータ４０を駆動すると、ピックアップ３０はガイド
バー２２に沿ってディスクの半径方向に移動し、ターンテーブル３１によって回転せしめ
られるディスクに対しデータ読み出し又はデータ書き込みを行う。この時のピックアップ
３０の移動は、ディスクのデータ記録領域をはみ出さない範囲で行われる。
【００４８】
ディスクを取り出すときには、ターンテーブル３１の回転を止め、ピックアップ３０を
ディスクのデータ記録領域を超えて前進させる。図７はストッパローラ３８がターンテー
ブル３１の側面に当たった状態を示しており、ピックアップ３０はそれ以上前進しない。
第１ラック３４はストッパローラ３８がターンテーブル３１に当たる直前に第２ピニオン
４４から離れるが、第２ラック３５と第２ピニオン４４とのかみ合いがまだ続いており、
第１スライダ３２が圧縮コイルばね３６を介してピックアップ３０を押す形になるため、
第１ラック３４と第２ピニオン４４のかみ合いが終了しているにも関わらず、ピックアッ
プ３０はターンテーブル３１に押し付けられるものである。
【００４９】
前述のように、張出部材３３の移動経路中にはねじりコイルばね５３の左側の線材端が
突出している。ピックアップ３０が前進方向の移動限界に向かって移動する過程で、張出
部材３３がねじりコイルばね５３の左側の線材端に当たってこれを押す。左側の線材端は
図において反時計方向に回動し、これに伴いスイングアーム５１も反時計方向に回動する
。すると第４ピニオン５２が第２ギヤ４６の外周を転がり、中継ギヤ５０が第２ピニオン
４４にかみ合う。これをもって後段ギヤ列４５は前段ギヤ列４１に連結されたことになる
。
【００５０】
前段ギヤ列４１に連結されたことを受けて、後段ギヤ列４５と第３ピニオン４７は回転
を開始する。しかしこの時点ではまだ、第３ラック６１と第４ラック８１は第３ピニオン
４７にかみ合っていないので、第３ピニオン４７の回転は特に何の作用ももたらさない。
【００５１】
図７の状態からピックアップ移動モータ４０がさらに回転を続けると、第１スライダ３
２は圧縮コイルばね３６を押し縮めつつ前進する。前進の最終段階で、第１スライダ３２
はロック部材７０の第１アーム７１の先端に接触し、ロック部材７０を時計方向に回動さ
せる。すなわちロック部材７０を姿勢変換させる。第１アーム７１は第１スライダ３２を
受け止めて、歯車のようにフック３７にかみ合って行く。第１アーム７１とフック３７の
かみ合いにより、ロック部材７０は第１スライダ３２を拘束する形になる。これが図８に
示す状態である。
【００５２】
ロック部材７０は姿勢変換することにより第２アーム７２で第２スライダ６０を押し、
第２スライダ６０を図の左方に変位させる。すると図８に示すように第３ラック６１が第
３ピニオン４７にかみ合う。第３ピニオン４７は後段ギヤ列４５から動力を得て時計方向
に回転しているので、第２スライダ６０は図の左方にスライドを開始する。
【００５３】
第２スライダ６０が左方にスライドすると、第１カム機構６２のカムフォロワはカム溝
６３に対し相対的に右方に移動する。すなわちカム溝６３の傾斜に従ってカムフォロワ６
４は下がって行く。カムフォロワ６４が下がればそれが取り付けられているデッキ２０の
前端部も下がり、デッキ２０は後端を支点として傾く。これによりターンテーブル３１の
高さも下がり、ターンテーブル３１に支持されていたディスクはディスクトレイ８０に乗
り移る。
【００５４】
第２スライダ６０が左方にスライドする間、ロック部材７０は、第２アーム７２が第２
スライダ６０の水平突条７３に乗り上げることにより、姿勢変換後の姿勢を保ち続ける（
図１２参照）。従って第１スライダ３２はロック部材７０により拘束され続け、中継ギヤ
５０は前段ギヤ列４１と後段ギヤ列４７の連結を維持し続ける。
【００５５】
第２スライダ６０が左方へのスライドを続けると、第２カム機構６５のカムローラ６６
がカム溝６７の左端に至る。カム溝６７の左端には傾斜部が設けられており、この傾斜部
にカムローラ６６が当たるとカム溝６７に前方への分力が生じる。これによりディスクト
レイ８０は前方に変位し、第４ラック８１が第３ピニオン４７にかみ合う。これが図１０
の状態である。この時点で第３ラック６１は第３ピニオン４７から離れる。
【００５６】
第４ラック８１が第３ピニオン４７にかみ合うことにより、ディスクトレイ８０には前
段ギヤ列４１、中継ギヤ５０、後段ギヤ列４５、及び第３ピニオン４７を介してピックア
ップ移動モータ４０の動力が伝わる。この時点ではディスクはディスクトレイ８０に完全
に乗り移っており、ディスクトレイ８０はディスクを搭載した状態でディスク取り出し位
置に前進する。これが図１１の状態である。
【００５７】
ディスクトレイ８０がディスク取り出し位置に到着すると、図示しないリミットスイッ
チの働きでピックアップ移動モータ４０は回転を停止する。ディスクトレイ８０の前進も
停止する。ここでディスクトレイ８０からディスクを取り出すことができる。
【００５８】
ディスク取り出し後、図示しないスイッチを操作してディスクトレイ８０を引っ込める
。新たなディスクを搭載した状態で引っ込めることも、ディスクは搭載しないで引っ込め
ることもあるが、ここでは新たなディスクを搭載した状態で引っ込めるものとして説明す
る。
【００５９】
ディスクトレイ引き込み操作用のスイッチを操作すると、ピックアップ移動モータ４０
が今までとは逆方向に回転する。第３ピニオン４７も今までと逆方向に回転し、ディスク
トレイ８０は後退する。
【００６０】
後退するディスクトレイ８０はやがてディスク搭載位置に至る。ディスクがターンテー
ブル３１の上に来たあたりでカム溝６７の斜面部がカムローラ６６に当たり、カムローラ
６６に右方への分力を与える。これにより第２スライダ６０が右方に変位し、第３ピニオ
ン４７から離れていた第３ラック６１が再び第３ラック４７にかみあう。第３ラック６１
と入れ替わる形で、第４ラック８１は第３ピニオン４７から離れる。
【００６１】
第３ラック６１が第３ピニオン４７にかみ合うことにより、第２スライダ６０は右方へ
のスライドを開始する。カム溝６３がカムフォロワ６４に対し相対的に右方に移動するこ
とになり、カムフォロワ６４はカム溝６３の傾斜に沿って持ち上げられる。デッキ２０も
傾きを戻す。ターンテーブル３１は新たなディスクをすくい上げ、上方のチャック（図示
せず）との間でそのディスクをクランプすることになる。
【００６２】
第２スライダ６０が右方にスライドを続けるうちに、ロック部材７０の第２アーム７２
が水平突条７３の左端の凹部７４に落ち込む。これによりロック部材７０は反時計方向に
回動し、第１スライダ３２を釈放する。第２スライダ６０があと少し右方にスライドした
ところで第３ラック６１が第３ピニオン４７から外れ、第２スライダ６０はスライドを停
止する。
【００６３】
ロック部材７０から釈放された第１スライダ３２は圧縮コイルばね３６の弾発力で後退
し、第２ラック３５を第２ピニオン４４にかみ合わせる。第２ピニオン４４は第１スライ
ダ３２を後退させ始める。第１スライダ３２が後退を始めると、圧縮コイルばね３６によ
って前方に押されなくなったピックアップ３０も第１ラック３４を第２ピニオン４４にか
み合わせる。これにより、第１スライダ３２とピックアップ３０は揃って後退することに
なる。
【００６４】
ピックアップ３０がディスクのデータ記録領域に入る少し手前で張出部３３がねじりコ
イルばね５３から離れる。これによりねじりコイルばね５３の左方の線材端は時計方向に
回動し、これに伴いスイングアーム５１も時計方向に回動する。すると中継ギヤ５０は第
２ピニオン４４から離れて図６の位置に移動し、前段ギヤ列４１と後段ギヤ列４５は連結
解除状態となる。
【００６５】
以後ピックアップ移動モータ４０はピックアップ３０と第１スライダ３２だけを前段ギ
ヤ列４１で動かし、データ読み出し又はデータ書き込みを行わせることができる。中継ギ
ヤ５０及び後段ギヤ列４５はピックアップ移動モータ４０から切り離されており、回転し
ないので、これらのギヤが余計な振動を生じて騒音レベルを上昇させたり、読み出しある
いは書き込みに影響を与えたりすることはない。
【００６６】
以上本発明の実施形態につき説明したが、発明の主旨を逸脱しない範囲でさらに種々
の変更を加えて実施することができる。
【産業上の利用可能性】
【００６７】
本発明は、水平に出入りするディスクトレイを備えたディスクプレーヤに利用可能で
ある。
【図面の簡単な説明】
【００６８】
【図１】ディスクプレーヤの全体構成を示す斜視図
【図２】フレームを取り去った状態の斜視図
【図３】図２の構成要素を向かって右上方から見た状態の斜視図
【図４】図３からスライダを取り去った状態の斜視図
【図５】図４の構成要素を向かって左上方から見た斜視図
【図６】第１の動作説明図
【図７】第２の動作説明図
【図８】第３の動作説明図
【図９】第４の動作説明図
【図１０】第５の動作説明図
【図１１】第６の動作説明図
【図１２】部分拡大平面図
【符号の説明】
【００６９】
１    ディスクプレーヤ
１０  フレーム
２０  デッキ
３０  ピックアップ
３１  ターンテーブル
３２  第１スライダ
３４  第１ラック
３５  第２ラック
３６  圧縮コイルばね
３７  フック
４０  ピックアップ移動モータ
４１  前段ギヤ列
４５  後段ギヤ列
５０  中継ギヤ
５１  スイングアーム
５３  ねじりコイルばね
６０  第２スライダ
６１  第３ラック
６２  第１カム機構
６５  第２カム機構
７０  ロック部材
７１  第１アーム
７２  第２アーム
８０  ディスクトレイ
８１  第４ラック
【図１】
2006012304.tif 000003
【図２】
2006012304.tif 000004
【図３】
2006012304.tif 000005
【図４】
2006012304.tif 000006
【図５】
2006012304.tif 000007
【図６】
2006012304.tif 000008
【図７】
2006012304.tif 000009
【図８】
2006012304.tif 000010
【図９】
2006012304.tif 000011
【図１０】
2006012304.tif 000012
【図１１】
2006012304.tif 000013
【図１２】
2006012304.tif 000014